(57)【要約】【課題】使用時における安定性や安全性が十分でなかった。【解決手段】前脚部材２の中途部に後脚部材３の連結部16を枢着し、後脚部材３の中途部に上下方向に沿ってガイド溝26、26a を形成すると共に、座部材４に設けた係合棒25、25a をガイド溝26、26a にスライド自在に嵌入し、不使用時に偏平に折り畳み自在と成した折畳椅子であって、後脚部材３の上下方向に沿ったガイド溝26、26a の上端に、該ガイド溝26、26a の中心より前方側に傾斜させた係合溝27を設けることによって、ガイド溝26、26a に対して偏倚した係合溝27に嵌入した係合棒25、25a が着座者の重量で係合溝の形成壁面に係合状態となる。【選択図】図１
2005349053.tif 000002
【特許請求の範囲】
【請求項１】
上部に背凭部が形成され中途部に肘掛部が形成され下部に前脚部が形成された前脚部材
と、上部に連結部が形成され下部に後脚部が形成された後脚部材と、前脚部および後脚部
に夫々枢着される座部材とを備え、
前脚部材の中途部に後脚部材の連結部を枢着し、後脚部材の中途部に上下方向に沿って
ガイド溝を形成すると共に、座部材に設けた係合棒をガイド溝にスライド自在に嵌入し、
不使用時に偏平に折り畳み自在と成した折畳椅子であって、
後脚部材の上下方向に沿ったガイド溝の上端に、該ガイド溝の中心より前方側に傾斜さ
せた係合溝を設けたことを特徴とする折畳椅子。
【請求項２】
ガイド溝と係合溝の間に、ガイド溝の中心より後方側に傾斜させてた短長の連結溝を設
けたことを特徴とする請求項１記載の折畳椅子。
【請求項３】
ガイド溝、連結溝および係合溝にプラスチック製の溝材を嵌合したことを特徴とする請
求項２記載の折畳椅子。
【請求項４】
一対の前脚部の間に連結片を架設すると共に、該連結片の後方側と座部材の背面にヒン
ジを設けたことを特徴とする請求項１、２又は３記載の折畳椅子。
【請求項５】
前脚部より後脚部を内側に配置し、後脚部と連結部の間に偏倚部を設けて後脚部より連
結部を外側と成し、前脚部と肘掛部の間の湾曲部の背面に連結部を枢着したことを特徴と
する請求項１、２、３又は４記載の折畳椅子。
【発明の詳細な説明】
【技術分野】
【０００１】
本発明は、非使用時に偏平に折り畳むことが可能な折畳椅子に関し、特に折り畳みに加
えて積み重ねることが可能な折畳椅子に関する。
【背景技術】
【０００２】
従来、会合等での参加者数の増減に備えて、或いは、会場の有効利用の為に折り畳み可
能な椅子が装備されており、非使用時には偏平に折り畳んで収容されていた。
折畳椅子の一例としては、上部に背凭部が形成された前脚部材の中途部にリンクを介し
て、後脚部材の上端を回動及び接離自在に連結し、前脚部材と後脚部材の中途部に座部材
を枢着していた。
非使用時には、座部材の前端側を上方に回動させることで、前脚部材、後脚部材及び座
部材の３者が平行状態で接合し、全体的に偏平に折り畳むことが出来る様になっていた。
【０００３】
しかし、座部材は前脚部材及び後脚部材の２箇所で枢着しているだけであるために、座
部材が起立方向へ容易に回動可能で安定性が堅固でなく、特に、座部材の後端側に大きな
荷重が加わった場合には、座部材が起立状態へ急激に回動すると共に、前脚部材と後脚部
材が接近して閉じ、前脚部材と後脚部材の間等に手指を挟む恐れがあった。
【０００４】
又、積み重ね可能な椅子としては、前脚部材の内側に後脚部材を配置したものが一部で
使用されているが、後脚部材の上端が前脚部材の中途部の内方側面側に位置し、肘等が当
たる不具合があった。
更に、折り畳み可能な椅子と積み重ね可能な椅子は単独では存在するとしても、両機能
を備えた椅子は見当たらず、非使用時の収容や会場内での準備配備等の点で自由自在な取
り扱いが出来なかった。
【０００５】
研究開発段階や出願段階で先行技術調査を行っておらず、記載すべき先行技術文献を知
りません。
【発明の開示】
【発明が解決しようとする課題】
【０００６】
解決しようとする問題点は、使用時における安定性や安全性が十分でなかったり、非使
用時や準備段階の収容配備状態が限定されていた点である。
【課題を解決するための手段】
【０００７】
本発明は、上記従来技術に基づく、座部材の安定性が悪い点に鑑み、前脚部材の中途部
に後脚部材の連結部を枢着し、後脚部材の中途部に上下方向に沿ってガイド溝を形成する
と共に、座部材に設けた係合棒をガイド溝にスライド自在に嵌入し、不使用時に偏平に折
り畳み自在と成した折畳椅子であって、後脚部材の上下方向に沿ったガイド溝の上端に、
該ガイド溝の中心より前方側に傾斜させた係合溝を設けることによって、ガイド溝に対し
て偏倚した係合溝に嵌入した係合棒が着座者の重量で係合溝先端の形成壁面に係合状態と
なる様にして、上記課題を解決する。
【０００８】
ガイド溝と係合溝の間に、ガイド溝の中心より後方側に傾斜させた短長の連結溝を設け
ることによって、係合溝が水平寄り傾斜で長くなって係合安定性を向上させたり、連結溝
通過時のショック等で開閉状態を確認する。
【０００９】
又、後脚部材の上端に肘が当たる課題に鑑み、前脚部より後脚部を内側に配置し、後脚
部と連結部の間に偏倚部を設けて後脚部より連結部を外側と成し、前脚部と肘掛部の間の
湾曲部の背面に連結部を枢着することによって、後脚部材上端の連結部を前脚部材の背面
に配置して、脚掛部近傍での後脚部材の突出状態を解消する様にして、上記課題を解決す
る。
【発明の効果】
【００１０】
要するに本発明は、前脚部材の中途部に後脚部材の連結部を枢着し、後脚部材の中途部
に上下方向に沿ってガイド溝を形成すると共に、座部材に設けた係合棒をガイド溝にスラ
イド自在に嵌入し、不使用時に偏平に折り畳み自在と成したので、収納スペースを減少さ
せることが出来、更に、中途部に肘掛部を有するので、椅子上部を把持した運搬時に、前
脚部材の背面側に後脚部材と座部材が当接して開かず、容易に運搬することが出来、又後
脚部材の上下方向に沿ったガイド溝の上端に、該ガイド溝の中心より前方側に傾斜させた
係合溝を設けたので、係合溝先端の形成壁面に係合棒が着座係合して、ガイド溝に係合棒
が移動せず、座部材の安定性を良好にすることが出来る。
【００１１】
ガイド溝と係合溝の間に、ガイド溝の中心より後方側に傾斜させた短長の連結溝を設け
たので、傾斜した係合溝の水平寄り角度設定や長寸化で安定性を更に向上することが出来
、又係合棒が連結溝を通過する時に軽い衝撃が発生して、折畳時と展開時ともに体感を得
て開閉状態を確実にすることが出来る。
又、ガイド溝、連結溝および係合溝にプラスチック製の溝材を設けたので、座部材の係
合棒がスムーズにスライドすることが出来る。
【００１２】
一対の前脚部の間に連結片を架設すると共に、該連結片の後方上端側と座部材の背面に
ヒンジを設けたので、後脚部材と座部材が略一致して偏平状態を向上して、スペース減少
や運搬容易性を更に向上することが出来る。
【００１３】
前脚部より後脚部を内側に配置したので、積み重ねることが出来、又後脚部と連結部の
間に偏倚部を設けて後脚部より連結部を外側と成し、前脚部と肘掛部の間の湾曲部の背面
に連結部を枢着したので、後脚部材の上端は湾曲部背面に位置して、前脚部材の肘掛部の
側方等に後脚部材の上端が位置せず、違和感なく安心して着座することが出来る等その実
用的効果甚だ大である。
【発明を実施するための最良の形態】
【００１４】
以下、本発明の一実施形態を図面に基づいて説明する。
図１に示す様に、折り畳み及び積み重ね自在な椅子１は前脚部材２と後脚部材３と座部
材４から成っている。
図２に示す様に、前脚部材２は所定間隔の左右一対の角材５、5aから成ると共に、該角
材５、5aは中途部及び上端部で水平な連結片６、７によって連結されている。
図１に示す様に、前脚部材２の下部を傾斜した前脚部８と成し、中途部を略水平な肘掛
部９と成し、上部を傾斜した背凭部10と成して一体形成し、上部で連結片７と一対の角材
５、5aの間にクッション性を有する背凭11を取り付け、又傾斜した前脚部８と水平な肘掛
部９の間、および肘掛部９と傾斜した背凭部10の間に湾曲部12、12a を夫々介在している
。
図１、２に示す様に、後脚部材３は左右一対の角材13、13a を所定間隔で水平な連結片
14によって連結され、下部を傾斜した後脚部15と成すと共に、上部を連結部16と成して一
体形成している。
座部材４は水平な板材17の上にクッション性を有する座18を有している。
【００１５】
図３に示す様に、前脚部材２と後脚部材３の一対の角材５、5a、13、13a の間隔Ｗ１、
Ｗ２、座部材４の幅Ｗ３の関係は、前脚部材２の内側間隔Ｗ１に比して後脚部材３の後脚
部15の外側間隔Ｗ２Ｏは、両者間に少量間隙を有する他は略同等と成し、且つ、前脚部材
２の内側間隔Ｗ１に比して後脚部材３の後脚部15の内側間隔Ｗ２Ｉは角材13、13a の幅Ｗ
４相当分を減少させると共に少量間隙を有した間隔と成し、又座部材４の幅Ｗ３は後脚部
材３の後脚部15の内側間隔Ｗ２Ｉと略同等で両者間に少量間隙を有している。
これらの関係を数式で整理すると、Ｗ１＞Ｗ２Ｏ、Ｗ２Ｏ−Ｗ２Ｉ＝Ｗ４、Ｗ１＞Ｗ２
Ｉ＋Ｗ４、Ｗ２Ｉ＞Ｗ３である。
又、後脚部材３にあっては、後脚部15の内側間隔はＷ２Ｉで、上方の連結部16の内側間
隔はＷ１と成す様に、後脚部15と連結部16の中途部に屈曲状の偏倚部19（一方の偏倚量Ｗ
５＝Ｗ１−Ｗ２ＩでＷ４と少量間隙分の合計に相当）を有している。
図２、３に示す様に、後脚部材３の中途部に設けた偏倚部19の形状は、後脚部15の上部
に外側水平方向に向く第１屈曲部と該第１屈曲部から上方に向く第２屈曲部から成り、該
第２屈曲部の上部に連結部16を一体形成している。
又、前脚部材２、後脚部材３および座部材４の間隔等の設定において、少量間隙を夫々
設けているが、この少量間隙は非接触性や取扱性を考慮したものである。
【００１６】
図４に示す様に、前脚部材２の中途で前脚部８と肘掛部９を連結する湾曲部12の背面に
後脚部材３上端の連結部16を枢着部20で枢着し、連結部16の頂端を湾曲部12の下面形状と
略一致させる湾曲形状と成しており、湾曲部12から斜下方突出させた枢着板21に連結部16
を横断する枢軸22で枢着部20を構成している。
座部材４における板材17の中間部は、前脚部材２の一対の角材５、5aの連結片６上に載
置自在とされると共に、枢軸が連結片６の上端後方側に位置する蝶番のヒンジ24で枢着さ
れ、又座部材４における板材17の後端両側に係合棒25、25a を突出している。
一方、後脚部材３の後脚部15の角材13、13a の内面にガイド溝26、26a を陥没形成し、
該ガイド溝26、26a に座部材４の係合棒25、25a をスライド自在に嵌合している。
【００１７】
図８に示す様に、後脚部15の角材13、13a の内面に陥没形成したガイド溝26、26a は、
角材13、13a の前後の幅方向中心で上下方向に沿って陥没形成し、ガイド溝26、26a の上
端に、展開時におけるガイド溝26、26a の中心より前方側に傾斜させて係合溝27を形成し
ており、即ち、係合溝27はガイド溝26、26a （後脚部15の角材13、13a ）の中心より偏倚
させている。
この構成により、ガイド溝26、26a が上下方向に沿って形成される角材13、13a は傾斜
した後脚部15であるため、展開時（使用時）には、ガイド溝26、26a は傾斜した上下方向
配置となって座部材４の係合棒25、25a は上下方向へスライド自在である。
それに対して、上下方向寄りに傾斜したガイド溝26、26a に対して前方側に傾斜させた
係合溝27は水平方向寄りに傾斜させたこととなり、係合溝27の先端下方の形成壁面28が係
合棒25、25a の当接面となり、着座時は係合状態となると共に、無荷重時はスライド容易
となっている。
【００１８】
更に、ガイド溝26、26a と係合溝27の接合箇所において、ガイド溝26、26a の中心より
後方側に傾斜させ、ガイド溝26、26a の中心より偏倚した短長の連結溝29を介在させてい
る。
角材13、13a の中心に設けたガイド溝26、26a に対して傾斜偏倚方向を逆方向と成した
係合溝27と連結溝29により、係合溝27の基端（ガイド溝26、26a への連結側）は角材13、
13a の中心（ガイド溝26、26a の延長線）より後方側になると共に、係合溝27の先端（係
合棒25、25a の着座当接側）は角材13、13a の中心より前方側になる。
かかる構成により、係合溝27の先端とガイド溝26、26a の上端を直接連結する場合に比
して、連結溝29を介在させた場合には、係合溝27は水平寄りの傾斜角度となると共に、係
合溝27の基端と先端の位置が中心の前後となって係合溝27が長くなり、更に、ガイド溝26
、26a 等をスライドする係合棒25、25a の運動軌跡が一時的に逆方向となる。
【００１９】
次に本発明に係る折畳椅子の作用について説明する。
図１に示す様に、使用時（展開時）には前脚部８に対して後脚部15は開いた状態であり
、後脚部15のガイド溝26、26a に対する座部材４の係合棒25、25a は上端に位置し、図８
に示す様に、水平寄り傾斜の係合溝27先端の形成壁面28に座部材４の係合棒25、25a が着
座接触している。
着座者の体重の一部が係合溝27と係合棒25、25a の接触点に作用すると、係合溝27が傾
斜したガイド溝26、26a に対して更に傾斜した水平寄りと成っており、係合棒25、25a は
その接触状態を維持し、即ち座部材４は水平状態を維持する。
【００２０】
折り畳み時には、前脚部材２の頂端の連結片７を若干持ち上げて、後脚部材３の後脚部
15を床面から離した状態と成し、座部材４の前端部を引き上げることにより、座部材４が
上方に回動させる。
座部材４の係合棒25、25a と後脚部15のガイド溝26、26a 等の係合関係から、後脚部材
３の連結部16と前脚部材２の中途部の湾曲部12を基点として後脚部材３が回動し、該後脚
部材３は徐々に前脚部材２に接近し、図５、６に示す様に、後脚部材３は前脚部材２の背
面側で平行状態に閉じると共に、座部材４は後脚部材３と略一致状態で接合する。
この折り畳み時において、図８に示す様に、係合溝27の先端に位置する係合棒25、25a 
が、係合溝27から連結溝29を通過してガイド溝26、26a へ移動する際に、連結溝29は係合
溝27およびガイド溝26、26a に対して逆方向に傾斜させているために、通過時に若干のシ
ョックが音も含めて発生する。
【００２１】
折り畳んだ椅子１の運搬時には、図５で重心を１点鎖線で示す様に、上方の連結片７を
持つと、肘掛部９が中途に位置するため椅子１が傾斜し、後脚部材３と座部材４の平行状
態が維持される。
【００２２】
折り畳み状態から使用状態にする時には、前脚部材２の前脚部８下端を床面に接地し、
座部材４の前端を下方回動させることにより、座部材４の係合棒25、25a は後脚部15のガ
イド溝26、26a 内を上方にスライドすると共に、後脚部材３は後方へ回動し、前脚部材２
に対して後脚部材３が開き、座部材４が水平状態となり、使用状態への展開作業が終了す
る。
この時、係合棒25、25a がガイド溝26、26a から係合溝27への移動中間で連結溝29を通
過する時にもショック、音が発生する。
【００２３】
本発明に係る折畳椅子は積み重ねも可能であり、図１に示す様に、前脚部８の角材５、
5aの背面および後脚部15の角材13、13a の前面に所定高さの間隔保持材30、30a …を突出
形成している。
又、図３に示す様に、前脚部材２に対して後脚部材３は角材13、13a の幅Ｗ４に相当す
る偏倚量Ｗ５分だけ狭くなっている構成により、展開状態の椅子１を上下に積み重ねる。
図７に示す様に、積み重ねた時には、上段の前脚部材２は下段の前脚部材２と、上段の
後脚部材３は下段の後脚部材３と、上段の座部材４は下段の座部材４と夫々平行に積み重
ねられ、上下の前脚部材２と後脚部材３は間隔保持材30、30a …を夫々介在して積み重な
っている。
【００２４】
尚、ガイド溝26、26a 、係合溝27および連結溝29の形成面には、滑動性を確保するため
に、形成面に蝋材を塗着したり、図９に示す様に、プラスチック製の溝材31を嵌合しても
良い。
【図面の簡単な説明】
【００２５】
【図１】本発明に係る折畳椅子の側面図である。
【図２】図１の正面図である。
【図３】図１の平面図である。
【図４】図２のＡ−Ａ断面図である。
【図５】折り畳み状態を示す側面図である。
【図６】折り畳み状態の中央縦断面図である。
【図７】積み重ね状態を示す側面図である。
【図８】ガイド溝を示す拡大側面図である。
【図９】ガイド溝に溝材を取付けた部分断面端面図である。
【符号の説明】
【００２６】
２        前脚部材
３        後脚部材
４        座部材
６        連結片
８        前脚部
９        肘掛部
10        背凭部
12、12a   湾曲部
15        後脚部
16        連結部
19        偏倚部
24        ヒンジ
25、25a   係合棒
26、26a   ガイド溝
27        係合溝
28        形成壁面
31        溝材
【図１】
2005349053.tif 000003
【図２】
2005349053.tif 000004
【図３】
2005349053.tif 000005
【図４】
2005349053.tif 000006
【図５】
2005349053.tif 000007
【図６】
2005349053.tif 000008
【図７】
2005349053.tif 000009
【図８】
2005349053.tif 000010
【図９】
2005349053.tif 000011